(57)【特許請求の範囲】
【請求項１】
外部熱源機によって発生した熱を高温の湯水として貯留する貯湯タンクと、この貯湯タンクを収容する外装ケースと、この外装ケースに取付けられ且つ前記外装ケースを建造物の壁面等に連結固定する固定金具とを備えた貯湯給湯装置において、
前記貯湯タンク内の湯水温度が低い場合に再加熱を行う補助熱源機を備え、
前記補助熱源機は、前記固定金具を介して前記外装ケースの外側に取付け固定されたことを特徴とする貯湯給湯装置。
【請求項２】
前記補助熱源機は、上部固定部及び下部固定部を備え、
前記上部固定部は、前記固定金具に直接的に取付け固定されると共に、前記下部固定部は、前記外装ケースに直接的に取付け固定されることを特徴とする請求項１に記載の貯湯給湯装置。
【請求項３】
前記補助熱源機は、前記固定金具に取付部材を介して間接的に取付け固定されることを特徴とする請求項１に記載の貯湯給湯装置。
【請求項４】
前記取付部材の下端部は、前記貯湯給湯装置の設置面に固定されていることを特徴とする請求項３に記載の貯湯給湯装置。
【発明の詳細な説明】
【技術分野】
【０００１】
本発明は貯湯給湯装置に関し、特に貯湯タンクの湯水温度が低い場合に再加熱を行う補助熱源機を備えたものに関する。
【背景技術】
【０００２】
従来から、高温の湯水を生成して貯湯し、給湯栓等の所望の給湯先に供給可能な貯湯給湯装置が実用に供されている。この種の貯湯給湯装置は、外部熱源機によって発生した熱を高温の湯水として貯留する貯湯タンクと、湯水混合弁等の各種の弁類と、給水通路や給湯通路等の各種の通路類と、循環ポンプ等の各種のポンプ類と、これらを収納する箱状の外装ケース等を備えている。
【０００３】
また、上記の貯湯給湯装置において、貯湯タンクに貯留されている湯水温度が不足する場合等に湯水を再加熱する補助熱源機を備えたハイブリッド給湯システムを構築したものも一般に知られている。例えば、特許文献１の貯湯式給湯装置には、貯湯タンク等を箱体に収納して構成された貯湯タンクユニットに、単独で使用可能な別体品の補助熱源機（燃焼装置）を専用の架台（支持台）を介して組み付け、複数の化粧カバーを使用することで一体品として構成した構造が開示されている。
【０００４】
ところで、昨今の貯湯給湯装置において、地震発生の際に転倒するのを防止する為に、耐震性能の向上が要求されている。この種の耐震性能の構造としては、例えば、特許文献２の貯湯式給湯機には、外装ケースの内部に貯湯タンクと断熱材とを収納し、貯湯タンクの上部を覆う上部断熱材の上端部に金属製薄板からなる固定部材を一体的に設け、この固定部材と壁や柱等の支持構造体との間を金属製薄板からなる連結部材で連結することで揺れを抑制した構造が開示されている。
【先行技術文献】
【特許文献】
【０００５】
【特許文献１】特開２０１３−１４２４８２号公報
【特許文献２】特開２０１３−１６０４９４号公報
【発明の概要】
【発明が解決しようとする課題】
【０００６】
しかし、特許文献１の貯湯式給湯装置では、単独で使用可能な別体品の補助熱源機を貯湯タンクユニットに組み付けて一体品として構成しているが、この構造の場合、補助熱源機を組み付ける為の専用の架台や、外観を向上させる為に複数の化粧カバー等を必要とするので、貯湯給湯装置を組み立てる為の部品点数が増加し、貯湯給湯装置の構造が複雑化し、コスト高となるという問題がある。
【０００７】
そもそも、貯湯式給湯装置にハイブリット給湯システムを構築する為には、別体品の補助熱源機の組付けに対応した専用の貯湯タンクユニットを必要とする場合が多いので、既存の貯湯タンクユニットを利用することが困難であり、汎用性に欠けることで、上記と同様にコスト高となる問題もある。
【０００８】
ところで、昨今の貯湯給湯装置は、屋外の狭小スペースに据付け可能なように、コンパクトな構成が求められているが、特許文献１の貯湯式給湯装置においては、貯湯タンクユニットの箱体の一部、補助熱源機の箱体の一部、複数の化粧カバー等を利用することで外装ケースを構成し、この外装ケースの内部に貯湯タンクと補助熱源機を収容した構造上、外装ケースが大型化してしまい、貯湯給湯装置の据付け面積が大きくなり、据付け場所によっては施工が困難になるという問題がある。
【０００９】
本発明の目的は、貯湯給湯装置において、ハイブリッド給湯システムを構築する際に、単独で使用可能な補助熱源機を既存の貯湯タンクユニットに容易に組付け可能なもの、低コストで且つコンパクトに構成可能なもの、等を提供することである。
【課題を解決するための手段】
【００１０】
請求項１の貯湯給湯装置は、外部熱源機によって発生した熱を高温の湯水として貯留する貯湯タンクと、この貯湯タンクを収容する外装ケースと、この外装ケースに取付けられ且つ前記外装ケースを建造物の壁面等に連結固定する固定金具とを備えた貯湯給湯装置において、前記貯湯タンク内の湯水温度が低い場合に再加熱を行う補助熱源機を備え、前記補助熱源機は、前記固定金具を介して前記外装ケースの外側に取付け固定されたことを特徴としている。
【００１１】
請求項２の貯湯給湯装置は、請求項１の発明において、前記補助熱源機は、上部固定部及び下部固定部を備え、前記上部固定部は、前記固定金具に直接的に取付け固定されると共に、前記下部固定部は、前記外装ケースに直接的に取付け固定されることを特徴としている。
【００１２】
請求項３の貯湯給湯装置は、請求項１の発明において、前記補助熱源機は、前記固定金具に取付部材を介して間接的に取付け固定されることを特徴としている。
【００１３】
請求項４の貯湯給湯装置は、請求項３の発明において、前記取付部材の下端部は、前記貯湯給湯装置の設置面に固定されていることを特徴としている。
【発明の効果】
【００１４】
請求項１の発明によれば、貯湯給湯装置は、貯湯タンク内の湯水温度が低い場合に再加熱を行う補助熱源機を備え、補助熱源機は、固定金具を介して外装ケースの外側に取付け固定されたので、貯湯タンクと補助熱源機とを組み合わせてハイブリッド給湯システムを構築する際に、貯湯給湯装置の据付け場所等に応じて、耐震用の固定金具を建造物の壁面等に連結固定しない場合には、この固定金具を利用して、補助熱源機を外装ケースに容易に取付け固定することができる。
【００１５】
従って、外装ケースに固定金具を介して補助熱源機を容易に取付け固定可能であるので、補助熱源機を取付け固定する為の専用の架台や外観向上の為の化粧カバー等を極力設けずとも、既存の貯湯タンクユニットを利用することができ、低コストで且つ簡単な構造でもってハイブリッド給湯システムを構築することができる。また、既存の外装ケースのサイズを変更せずに、補助熱源機を取付け固定可能であるので、貯湯給湯装置をコンパクトに構成することができる。
【００１６】
請求項２の発明によれば、補助熱源機は、上部固定部及び下部固定部を備え、上部固定部は、固定金具に直接的に取付け固定されると共に、下部固定部は、外装ケースに直接的に取付け固定されるので、既存の耐震用の固定金具を利用して、補助熱源機を外装ケースの外側に容易に且つ確実に取付け固定することができる。
【００１７】
請求項３の発明によれば、補助熱源機は、固定金具に取付部材を介して間接的に取付け固定されるので、既存の耐震用の固定金具を利用して、補助熱源機を外装ケースの外側に容易に且つ確実に取付け固定することができると共に、取付部材を利用することで、補助熱源機をビス等を介して外装ケースに直接固定する箇所を低減することができる。
【００１８】
請求項４の発明によれば、取付部材の下端部は、貯湯給湯装置の設置面に固定されているので、固定部材を建造物の壁面等に固定した場合と同様に、取付部材を介して貯湯給湯装置の耐震性能を向上することができる。
【図面の簡単な説明】
【００１９】
【図１】実施例１に係る貯湯給湯装置の概略構成図である。
【図２】貯湯給湯装置の上部の側面図である。
【図３】補助熱源機の正面図である。
【図４】実施例２に係る貯湯給湯装置の上部の側面図である。
【図５】取付部材の斜視図である。
【図６】実施例３に係る貯湯給湯装置の側面図である。
【図７】取付部材の斜視図である。
【発明を実施するための形態】
【００２０】
以下、本発明を実施するための形態について実施例に基づいて説明する。
【実施例１】
【００２１】
先ず、本発明に係る貯湯給湯装置１の全体構造について説明する。
図１，図２に示すように、貯湯給湯装置１は、外部熱源機（図示略）によって発生した熱を高温の湯水として貯留する貯湯タンク３及びこの貯湯タンク３を収容する外装ケース４等からなる貯湯タンクユニット２と、貯湯タンク３内の湯水温度が低い場合に再加熱を行う補助熱源機５等を備えている。貯湯タンク３と補助熱源機５とを組み合わせることで、貯湯給湯装置１にハイブリッド給湯システムが構築されている。
【００２２】
貯湯給湯装置１は、上記の器具以外にも、給水配管や給湯配管等の各種配管類、混合弁や開閉弁等の各種弁類や制御ユニット等を備えているが、図示は省略する。また、貯湯タンクユニット２は、貯湯タンク３を支持する為の複数の脚部材を介して、地面等の設置面に固定されているが、貯湯タンクユニット２の固定構造は、公知の構造であるので、具体的な説明は省略する。
【００２３】
尚、この貯湯給湯装置１は、例えば、外部熱源機としてヒートポンプ回路を備えたヒートポンプ式熱源機と、このヒートポンプ式熱源機と貯湯給湯装置１との間に循環ポンプを介して湯水を循環させる為の湯水循環配管等と組み合わせることでヒートポンプ式給湯装置が構成されるが、貯湯給湯装置１以外の構成の詳細な説明は省略する。
【００２４】
次に、貯湯タンク３について説明する。
図１，図２の仮想線で示すように、貯湯タンク３は、高温の湯水を貯留するタンクであり、耐腐食性に優れたステンレス板製の胴部材とその上下両端を塞ぐ１対の鏡板とで構成されている。即ち、貯湯タンク３は、縦長筒状の外周面を有する胴部３ａと、上端部の曲面状の天部３ｂと、下端部の曲面状の底部３ｃとから一体的に構成されている。貯湯タンク３の周囲は、発泡ポリプロピレン、発泡ポリスチレン等からなる合成樹脂発泡体製の成形材からなる断熱材（図示略）で覆われている。
【００２５】
貯湯タンク３には、給水配管、湯水循環配管、給湯配管等が夫々接続され、給水配管を介して上水源からの上水を貯湯タンク３内に補充可能となっており、湯水循環配管を介して外部熱源機によって湯水が加熱され、給湯配管を介して貯湯タンク３内に貯留された高温の湯水（例えば、６５〜９０℃）を所望の給湯先に供給することができる。
【００２６】
次に、外装ケース４について説明する。
図１，図２に示すように、外装ケース４は、金属製薄板からなる複数の外装板４ａ〜４ｆで直方体状の箱状に構成されている。複数の外装板４ａ〜４ｆは、前側板となる外装板４ａ、左右１対の側板となる外装板４ｂ，４ｃ、後側板となる外装板４ｄ、天板となる外装板４ｅ、底板となる外装板４ｆを有している。
【００２７】
外装ケース４の内部には、上述の貯湯タンク３と断熱材に加えて、各種配管類、各種弁類、駆動ポンプ、複数の温度センサ等が収容されている。各外装板４ａ〜４ｆは、例えば、厚さが０．３〜０．５ｍｍのカラー鋼板で構成されている。
【００２８】
次に、補助熱源機５について説明する。
図１〜図３に示すように、補助熱源機５は、貯湯タンクユニット２の外側に設置され、公知のガス給湯器で構成されている。補助熱源機５は、貯湯タンク３内の湯水温度が低下した場合に限り燃焼作動され、目標給湯設定温度となるように湯水を加熱するものである。尚、本実施例の補助熱源機５は、貯湯タンクユニット２の高さの１／３程度の高さに設定されているが、特にこのサイズに限定する必要はない。
【００２９】
補助熱源機５は、ケース部材５ａの内部に、バーナーユニット、熱交換器、燃料供給管や給水管及び給湯管等の各種配管類、混合弁や開閉弁等の各種弁類等を内蔵しているが、これらの図示は省略する。補助熱源機５は、ケース部材５ａの上下両端部に設けられた１対の固定部５ｂ，５ｃを備え、これら上部固定部５ｂ及び下部固定部５ｃを介して貯湯タンクユニット２に取り付けられている。
【００３０】
上部固定部５ｂ及び下部固定部５ｃは、金属製薄板から横長の平板状に夫々構成され、複数の取付用孔を夫々備えている。上部固定部５ｂは、ケース部材５ａの上端部にケース部材５ａの裏面から外装ケース４側に僅かに突出するように縦向き姿勢に固定され、下部固定部５ｃは、ケース部材５ａの下端部にケース部材５ａの裏面から外装ケース４側に僅かに突出するように縦向き姿勢に固定されている。この補助熱源機５の貯湯タンクユニット２の背面側への取付け構造に関しては後述する。
【００３１】
この貯湯給湯装置１は、制御ユニット（図示略）によって制御される。制御ユニットは、給湯運転等の各種運転を実行する為のＣＰＵ，ＲＯＭ，ＲＡＭを主要部として構成されている。各種のセンサの検知信号が制御ユニットに送信され、制御ユニットにより、外部熱源機の動作、補助熱源機５の動作、各種のポンプ類の作動・停止、各種の弁類の開閉状態の切り換え及び開度調整等を制御し、各種運転（貯湯運転、給湯運転等）を実行する。
【００３２】
次に、固定金具６について説明する。
図１，図２に示すように、固定金具６は、外装ケース４の背面側を建造物の壁面等に連結固定する為のものであり、外装ケース４の天板となる外装板４ｅの後側部分に前後方向に位置調整可能に取付けられている。固定金具６は、金属製薄板から側面視にてＬ字状に形成され、前後方向に延びる横板部６ａと、この横板部６ａの後端部から上方に直交状に延びる縦板部６ｂとを備えている。
【００３３】
上記の固定金具６を介して貯湯給湯装置１を建造物の壁面等に連結固定する場合、固定金具６の縦板部６ｂが壁面に当接するように、固定金具６の取付け位置を調整した後に、固定金具６の横板部６ａを外装板４ｅに複数のビス６ｃを介して固定し、縦板部６ｂを複数のボルトを介して壁面に固定することで貯湯給湯装置１を壁面に連結固定可能である。
【００３４】
尚、本発明に関連する固定金具６は、必ずしも建造物の壁面等に連結固定する必要はなく、貯湯給湯装置１の据付け場所に応じて、固定金具６を使用せずに、他の固定部材を使用することで、貯湯給湯装置１の耐震性能の向上を図っても良い。本実施例では、固定金具６は、その縦板部６ｂが外装ケース４の後側板となる外装板４ｄと同一平面となるように位置調整されて横板部６ａが外装ケース４に固定されている。
【００３５】
次に、補助熱源機５の貯湯タンクユニット２への取付け構造について説明する。
図１，図２に示すように、補助熱源機５は、固定金具６を介して外装ケース４の外側であって外装ケース４の背面側に取付け固定されている。即ち、補助熱源機５の上部固定部５ｂは、固定金具６の縦板部６ｂに当接され、この縦板部６ｂに２組のボルト７ａとナット７ｂを介して直接的に取付け固定され、補助熱源機５の下部固定部５ｃは、外装ケース４の外装板４ｄの中段部上側寄り部分に当接され、この外装板４ｄに複数のビス８を介して直接的に取付け固定されている。固定状態における補助熱源機５のケース部材５ａの裏面と外装板４ｄの表面との間には、僅かな隙間が形成されている。
【００３６】
次に、本発明の貯湯給湯装置１の作用及び効果について説明する。
貯湯給湯装置１は、貯湯タンク３内の湯水温度が低い場合に再加熱を行う補助熱源機５を備え、補助熱源機５は、固定金具６を介して外装ケース４の外側に取付け固定されたので、貯湯タンク３と補助熱源機５とを組み合わせてハイブリッド給湯システムを構築する際に、貯湯給湯装置１の据付け場所等に応じて、耐震用の固定金具６を建造物の壁面等に連結固定しない場合には、この固定金具６を利用して、補助熱源機５を外装ケース４に容易に取付け固定することができる。
【００３７】
従って、外装ケース４に固定金具６を介して補助熱源機５を容易に取付け固定可能であるので、補助熱源機５を取付け固定する為の専用の架台や外観向上の為の化粧カバー等を極力設けずとも、既存の貯湯タンクユニット２を利用することができ、低コストで且つ簡単な構造でもってハイブリッド給湯システムを構築することができる。また、既存の外装ケース４のサイズを変更せずに、補助熱源機５を取付け固定可能であるので、貯湯給湯装置１をコンパクトに構成することができる。
【００３８】
また、補助熱源機５は、上部固定部５ｂ及び下部固定部５ｃを備え、上部固定部５ｂは、固定金具６に直接的に取付け固定されると共に、下部固定部５ｃは、外装ケース４に直接的に取付け固定されるので、既存の耐震用の固定金具６を利用して、補助熱源機５を外装ケース４の外側に容易に且つ確実に取付け固定することができる。
【実施例２】
【００３９】
次に、実施例１の貯湯給湯装置１を部分的に変更した実施例２について説明する。尚、実施例１では、補助熱源機５は、固定金具６に直接的に取付け固定されているが、実施例２では、補助熱源機５は、固定金具６に間接的に取付け固定されている。
【００４０】
図４，図５に示すように、補助熱源機５は、固定金具６に取付部材１１を介して間接的に取付け固定されている。固定金具６は、その縦板部６ｂが外装ケース４の後側板となる外装板４ｄから所定ストローク（取付板部１１の水平板部１１ｂの長さ）分後方に突出するように位置調整され、横板部６ａが外装ケース４に固定されている。
【００４１】
次に、取付部材１１について説明する。
図５に示すように、取付部材１１は、金属製薄板から側面視にてクランク状に形成され、上下方向に延びる固定板部１１ａと、この固定板部１１ａの下端部から前方に直交状に延びる短い水平板部１１ｂと、この水平板部１１ｂの前端部から下方に直交状に延びる短い下部板部１１ｃとを備えている。取付部材１１の幅は、補助熱源機５の１対の固定部５ｂ，５ｃの幅と同程度に設定されている。固定板部１１ａの上下方向の長さは、補助熱源機５の高さより僅かに長く設定されている。
【００４２】
取付部材１１の固定板部１１ａの上端部は、固定金具６の縦板部６ｂに２組のボルト１２ａとナット１２ｂを介して直接的に取付け固定され、取付部材１１の下部板部１１ｃは、外装ケース４の外装板４ｄの中段部上側寄り部分に複数のビス１３を介して取付け固定されている。尚、取付部材１１の下部板部１１ｃは、複数のビス１３に代えて両面テープ等で外装ケース４の外装板４ｄに接着固定しても良い。
【００４３】
次に、補助熱源機５の貯湯タンクユニット２への取付け構造について説明する。
図４に示すように、補助熱源機５の上部固定部５ｂは、取付部材１１の固定板部１１ａの上端部に２組のボルト１４ａとナット１４ｂを介して直接的に取付け固定され、補助熱源機５の下部固定部５ｃは、取付部材１１の固定板部１１ａの下端部に２組のボルト１５ａとナット１５ｂを介して直接的に取付け固定されている。
【００４４】
この構造によれば、補助熱源機５は、固定金具６に取付部材１１を介して間接的に取付け固定されるので、既存の耐震用の固定金具６を利用して、補助熱源機５を外装ケース４の外側に容易に且つ確実に取付け固定することができると共に、取付部材１１を利用することで、補助熱源機５をビス等を介して外装ケース４に直接固定する箇所を低減することができる。その他の構成、作用及び効果については、実施例１と同様であるので説明は省略する。
【実施例３】
【００４５】
次に、実施例２の取付部材１１を部分的に変更した実施例３について説明する。尚、実施例２では、取付部材１１の下端部は、外装ケース４に固定されているが、実施例３では、取付部材１１の下端部は、貯湯給湯装置１の設置面に固定されている。
【００４６】
図６，図７に示すように、補助熱源機５は、固定金具６に取付部材１１Ｂを介して間接的に取付け固定されている。固定金具６は、その縦板部６ｂが外装ケース４の後側板となる外装板４ｄから所定ストローク（取付板部１１の水平板部１１ｂの長さ）分後方に突出するように位置調整され、横板部６ａが外装ケース４に固定されている。
【００４７】
次に、取付部材１１Ｂについて説明する。
図７に示すように、取付部材１１Ｂは、金属製薄板から側面視にて縦長のＬ字状に形成され、上下方向に延びる固定板部１１Ｂａと、この固定板部１１Ｂａの下端部から後方に直交状に延びる短い水平板部１１Ｂｂとを備えている。取付部材１１Ｂの幅は、補助熱源機５の１対の固定部５ｂ，５ｃの幅と同程度に設定されている。固定板部１１Ｂａの上下方向の長さは、貯湯タンクユニット２の高さと同程度に設定されている。
【００４８】
取付部材１１Ｂの固定板部１１Ｂａの上端部は、固定金具６の縦板部６ｂに２組のボルト１２ａとナット１２ｂを介して取付け固定され、取付部材１１Ｂの水平板部１１Ｂｂは、貯湯給湯装置１の設置面に当接され、例えば複数のアンカーボルト１７を介して固定されている。
【００４９】
次に、補助熱源機５の貯湯タンクユニット２への取付け構造について説明する。
図６，図７に示すように、補助熱源機５の上部固定部５ｂは、取付部材１１Ｂの固定板部１１Ｂａの上端部に２組のボルト１４ａとナット１４ｂを介して直接的に取付け固定され、補助熱源機５の下部固定部５ｃは、取付部材１１Ｂの固定板部１１Ｂａの中段部上側寄り部位に２組のボルト１５ａとナット１５ｂを介して直接的に取付け固定されている。
【００５０】
この構造によれば、取付部材１１Ｂの下端部は、貯湯給湯装置１の設置面に固定されているので、固定部材６を建造物の壁面等に固定した場合と同様に、取付部材１１Ｂを介して貯湯給湯装置１の耐震性能を向上することができる。その他の構成、作用及び効果については、実施例１，２と同様であるので、説明は省略する。
【００５１】
尚、図７に示すように、補助熱源機５の下側の空間を、貯湯給湯装置１の各種配管の取付けに利用しても良い。即ち、取付部材１１Ｂの固定板部１１Ｂａにおける補助熱源機５の取付け箇所より下側部分に、固定板部１１Ｂａに着脱可能な支持部材２１によって各種配管を纏めて取付けるようにしても良い。
【００５２】
次に、前記実施例１〜３を部分的に変更した形態について説明する。
［１］前記実施例１〜３において、外装ケース４に予め設置された耐震用の固定金具６を利用して、補助熱源機５を外装ケース４の外側に直接的に又は間接的に取付け固定するのであれば、特に実施例１〜３の構造に限定する必要はなく、補助熱源機５の固定構造は、適宜変更可能である。
【００５３】
［２］前記実施例２，３において、取付部材１１，１１Ｂの構造は、ほんの一例を示したに過ぎず、特にこれらの構造に限定する必要はなく、取付部材を介して補助熱源機５を外装ケース４の外側に間接的に取付け固定可能であれば、取付部材の構造は、適宜変更可能である。
【００５４】
［３］その他、当業者であれば、本発明の趣旨を逸脱することなく、前記実施例に種々の変更を付加した形態で実施可能であり、本発明はそのような変更形態を包含するものである。
【符号の説明】
【００５５】
１，１Ａ，１Ｂ  貯湯給湯装置
３              貯湯タンク
４              外装ケース
５              補助熱源機
５ｂ            上部固定部
６              固定金具
１１，１１Ｂ    取付部材
【図１】
0006428363.tif 000002
【図２】
0006428363.tif 000003
【図３】
0006428363.tif 000004
【図４】
0006428363.tif 000005
【図５】
0006428363.tif 000006
【図６】
0006428363.tif 000007
【図７】
0006428363.tif 000008